(57)【要約】  多機能錠は、錠シェル（１）、錠棒（３）、可動歯付き部材（４）、摺動ブロック用の支持体（５）、摺動ブロック（６）、及び鍵を挿入するための案内スロットユニット（８）を備える。弾性要素が、錠棒と支持体との間に設けられ、摺動ブロックは、ユニットの鍵穴内に少なくとも部分的に延びる。錠が開錠されるとき、ユニットの突起部が２つの動作位置を有し、そのうちの一方の位置では、突出部がシェルの切欠部内に収容されて歯付き部材の上歯が摺動ブロックの下歯から離脱し、他方の位置では、突出部が切欠部から出て上歯が下歯と噛み合う。錠の鍵は、何度も交換することができる。【選択図】  図１
2009507151.tif 000002
【特許請求の範囲】
【請求項１】
錠シェル（１）及び該錠シェル（１）内に設けられている錠芯（２）を備え、該錠芯（２）は、前記錠シェル（１）とともに回転可能である錠芯本体（２２）、該錠芯本体（２２）に摺動可能に設けられている鍵棒（３）、前記錠芯本体（２２）に摺動可能に設けられている摺動ブロック用の支持体（５）、該摺動ブロック用の支持体（５）に摺動可能に設けられている複数の歯付き摺動ブロック（６）、及び前記錠芯本体（２２）に対して摺動可能に設けられている複数の歯付き部材（４）を含み、前記錠棒（３）を収容するための錠棒スロット（１１）が、前記錠シェル（１）に開いており、前記歯付き部材（４）のそれぞれには、一方の側に凹部（２０）、他方の側に下方に延びる複数の上歯（１７）が設けられ、前記歯付き摺動ブロック（６）のそれぞれには、上方に延びる下歯（１８）が設けられ、第１の弾性要素（７）が、前記摺動ブロック（６）のそれぞれとそれに対応する前記錠芯本体（２２）との間に設けられ、前記錠棒（３）は、２つの動作位置を有し、第１の動作位置、すなわち施錠状態で、前記錠棒（３）は前記錠棒スロット（１１）に収容され、第２の動作位置、すなわち開錠状態で、前記錠棒（３）は前記錠棒スロット（１１）から離脱して前記歯付き部材（４）のそれぞれの前記凹部（２０）に収容される、多機能錠であって、
第２の弾性要素（９）が、前記錠棒（３）と前記摺動ブロック用の支持体（５）との間に設けられ、前記摺動ブロック用の支持体（５）に連結されているユニット（８）が、前記摺動ブロック用の支持体（５）の片側に設けられ、鍵穴（２３）が前記ユニット（８）に設けられ、前記摺動ブロック（６）は、前記鍵穴（２３）内に少なくとも部分的に延び、前記ユニット（８）には突出部（２１）が設けられ、該突出部（２１）を収容する切欠部（１６）が、前記錠シェル（１）に設けられ、該多機能錠が開錠されるときに前記突出部（２１）は２つの動作位置を有し、第１の動作位置にあるとき、前記突出部（２１）は前記切欠部（１６）に収容されて前記上歯（１７）は前記下歯（１８）から離脱し、第２の動作位置にあるとき、前記突出部（２１）は前記切欠部（１６）から出て前記上歯（１７）は前記下歯（１８）と噛み合うことを特徴とする、多機能錠。
【請求項２】
案内斜面が、前記錠棒スロット（１１）の側壁に設けられることを特徴とする、請求項１に記載の多機能錠。
【請求項３】
案内斜面が、前記切欠部（１６）の側壁に設けられることを特徴とする、請求項１に記載の多機能錠。
【請求項４】
前記歯付き部材（４）、前記摺動ブロック（６）、前記第１の弾性要素（７）を備える２つの歯付き部材・摺動ブロックセットが、前記摺動ブロック用の支持体（５）上にそれぞれ対称に設けられ、前記２つのセットの前記歯付き摺動ブロック（６）は、前記鍵穴（２３）の両側から該鍵穴（２３）内にそれぞれ延びることを特徴とする、請求項１に記載の多機能錠。
【請求項５】
前記切欠部（１６）は、前記錠棒スロット（１１）に対して反時計方向に１０度〜３６０度回転した位置に位置付けられることを特徴とする、請求項１に記載の多機能錠。
【請求項６】
前記錠棒（３）は、細長いストリップ形状であることを特徴とする、請求項１に記載の多機能錠。
【請求項７】
前記錠棒（３）は、前記歯付き部材（４）に面する側に歯状構造（２４）を有し、前記歯付き部材（４）は、その片側に複数の凹部（２０）を有し、前記錠棒（３）が前記第２の動作位置になると、前記錠棒（３）の前記歯状構造（２４）は、前記歯付き部材（４）の前記複数の凹部（２０）に挿入されることを特徴とする、請求項１に記載の多機能錠。
【発明の詳細な説明】
【技術分野】
【０００１】
本実用新案は、多機能錠に関し、特に、鍵を何度も交換することを可能にする多機能錠に関する。
【背景技術】
【０００２】
中国特許第２００３２０１２３２４９．４号は、鍵の交換を可能にする錠を開示しているが、当該特許では、元鍵を錠芯の任意の回転位置で抜き取って開錠状態で新たな鍵と交換することができるため、セキュリティ上の危険の可能性が生まれる。
【発明の開示】
【発明が解決しようとする課題】
【０００３】
［発明の概要］
鍵を何度も交換することを可能にし、且つセキュリティ上の危険の可能性がない多機能錠を提供することが、本実用新案の(utility model)目的である。
【課題を解決するための手段】
【０００４】
上記目的を達成するために、本実用新案が採用する技術的解決手段は、錠シェル及び当該錠シェル内に設けられている錠芯を備え、当該錠芯は、上記錠シェルとともに回転可能である錠芯本体、当該錠芯本体に摺動可能に設けられている鍵棒、上記錠芯本体に摺動可能に設けられている摺動ブロック用の支持体、当該摺動ブロック用の支持体に摺動可能に設けられている複数の摺動ブロック、及び上記錠芯本体に対して摺動可能に設けられている複数の歯付き部材を含み、上記錠棒を収容するための錠棒スロットが、上記錠シェルに開いており、上記歯付き部材のそれぞれには、一方の側に凹部、他方の側に下方に延びる複数の上歯が設けられ、上記摺動ブロックのそれぞれには、上方に延びる下歯が設けられ、第１の弾性要素が、上記摺動ブロックのそれぞれとそれに対応する錠芯本体との間に設けられ、上記錠棒は、２つの動作位置を有し、そのうちの第１の動作位置、すなわち施錠状態で、上記錠棒は上記錠棒スロットに収容され、第２の動作位置、すなわち開錠状態で、上記錠棒は上記錠棒スロットから出て歯付き部材のそれぞれの凹部に収容され、第２の弾性要素が、上記錠棒と上記摺動ブロック用の支持体との間に設けられ、摺動ブロック用の支持体に連結されているユニットが、上記摺動ブロック用の支持体の片側に設けられ、鍵穴がユニットに設けられ、上記摺動ブロックは、上記鍵穴内に少なくとも部分的に延び、上記ユニットには突出部が設けられ、当該突出部を収容する切欠部が、上記錠シェルに設けられ、多機能錠が開錠されるときに上記突出部は２つの動作位置を有し、そのうちの第１の動作位置で、上記突出部は上記切欠部に収容されて上記上歯は上記下歯から離脱し、第２の位置で、上記突出部は上記切欠部から出て上記上歯は上記下歯と噛み合う、多機能錠を含む。
【０００５】
案内斜面が、上記錠棒スロットの側壁に設けられる。
【０００６】
案内斜面が、上記切欠部の側壁に設けられる。
【０００７】
上記切欠部は、上記錠棒スロットに対して反時計方向に１０度〜３６０度回転した位置に位置付けられる。
【０００８】
上記錠棒は、細長いストリップ形状である。
【０００９】
上記錠棒は、上記歯付き部材に面する側に歯状構造を有し、上記歯付き部材は、その片側に複数の凹部を有し、錠棒が第２の動作位置になると、上記錠棒の歯状構造は、上記歯付き部材の複数の凹部に収容される。
【００１０】
上述の技術的解決手段を適用することで、本実用新案には、従来技術を超える以下の利点がある。この解決手段において、歯付き部材は、錠芯の回転中にほぼ常に摺動ブロックと噛み合い、ユニットの突出部が錠シェルの切欠部内に収まる適切な位置に錠芯を回転させたときにのみ、第２の弾性要素があることにより、摺動ブロック用の支持体がユニットとともに下方に移動し、摺動ブロック用の支持体上に載った摺動ブロックは、最初に噛み合っていた歯付き部材から離脱し、この時点で元鍵を抜き取って新たな鍵に交換することができるため、セキュリティ上の危険の可能性をなくす。
【００１１】
本実用新案の改良形態として、上記歯付き部材、摺動ブロック、及び第１の弾性要素を備える２つの歯付き部材・摺動ブロックセットが、上記摺動ブロック用の支持体上にそれぞれ対称に設けられ、２つのセットの摺動ブロックは、上記鍵穴の両側から鍵穴内にそれぞれ延びるため、鍵穴に挿入された鍵が両側に鍵山を有することができることにより、鍵山の組み合わせの数が大幅に増える。鍵の側面のピンスロット１３に対応する複数の共通のピンを、ユニット８内の鍵穴２３の方向に対して垂直な方向に設けることもできる。
【００１２】
本実用新案の別の改良形態として、上記鍵棒のうち上記歯付き部材に面する側に少なくとも２つの歯状構造があり、上記歯付き部材は、片側に少なくとも３つの凹部を有し、上記鍵棒の歯状構造は、当該鍵棒が第２の動作位置にあるときに上記歯付き部材の複数の凹部に挿入される。このように、このような鍵棒を有する錠を開くことができる複数の鍵がある。
【発明を実施するための最良の形態】
【００１３】
［実施形態の説明］
次に、図１及び図２を参照すると、多機能錠は、錠シェル１及び錠シェル１内に設けられている錠芯２を備え、当該錠芯２は、上記錠シェル１とともに回転可能である錠芯本体２２、当該錠芯本体２２に摺動可能に設けられている鍵棒３、上記錠芯本体２２に摺動可能に設けられている摺動ブロック用の支持体５、当該摺動ブロック用の支持体５に摺動可能に設けられている複数の歯付き摺動ブロック６、及び上記錠芯本体２２に対して摺動可能に設けられている複数の歯付き部材４を含み、上記錠棒３を収容するための錠棒スロット１１が、上記錠シェル１に開いており、上記歯付き部材４のそれぞれには、一方の側に凹部２０、他方の側に下方に延びる複数の上歯１７が設けられ、上記摺動ブロック６のそれぞれには、上方に延びる下歯１８が設けられ、第１の弾性要素７が、上記摺動ブロック６のそれぞれとそれに対応する錠芯本体２２との間に設けられ、上記錠棒３は、２つの動作状位置を有し、そのうちの第１の動作位置、すなわち施錠状態で、上記錠棒３は上記錠棒スロット１１に収容され、第２の動作位置、すなわち開錠状態で、上記錠棒３は上記錠棒スロット１１から出て歯付き部材４のそれぞれの凹部２０に収容され、多機能錠は、第２の弾性要素９が、上記錠棒３と上記摺動ブロック用の支持体５との間に設けられ、摺動ブロック用の支持体５に連結されているユニット８が、上記摺動ブロック用の支持体５の片側に設けられ、鍵穴２３がユニット８に設けられ、上記摺動ブロック６は、上記鍵穴２３内に少なくとも部分的に延び、上記ユニット８には突出部２１が設けられ、当該突出部２１を収容する切欠部１６が、上記錠シェル１に設けられ、錠が開錠されるときに上記突出部２１は２つの動作位置を有し、そのうちの第１の動作位置で、上記突出部２１は上記切欠部１６に収容されて上記上歯１７は上記下歯１８から離脱し、第２の位置で、上記突出部２１は上記切欠部１６から出て上記上歯１７は上記下歯１８と噛み合うことを特徴とする。案内斜面が、上記錠棒スロット１１の側壁に設けられる。案内斜面が、上記切欠部１６の側壁に設けられる。上記歯付き部材４、歯付き摺動ブロック６、及び第１の弾性要素７を備える２つの歯付き部材・摺動ブロックセットが、上記摺動ブロック用の支持体５上にそれぞれ対称に設けられ、２つのセットの歯付き摺動ブロック６は、上記鍵穴２３の両側から鍵穴２３内にそれぞれ延びる。上記切欠部１６は、上記錠棒スロット１１に対して反時計方向に８８度〜９２度回転した位置に位置付けられる。上記錠棒３は、細長いストリップ形状である。
【００１４】
錠を施錠する必要があるとき、錠棒３は、第２のばね体９によって錠シェル１の錠棒スロット１１に押し込まれ、歯付き部材４の上側部分によって下方に移動するのを防止されるため、鍵棒３は、錠芯２が錠シェル１に対して回転不可能である、すなわち施錠された第１の動作位置になる。
【００１５】
図３及び図４に関して、鍵１０が鍵穴３を通してユニット８に挿入され、その鍵山１２が摺動ブロック６の突出部１９を押すことで、複数の歯付き摺動ブロック６がそれと噛み合っている複数の歯付き部材４とともに移動して、歯付き部材４のそれぞれの凹部が鍵棒３と一致して凹部体を形成する適切な位置で停止することができる。この時点で、鍵棒３は、重力の作用下で上記凹部体内に収まり、錠芯２が回転すると収縮する。ここで、鍵棒３は、錠芯２を回転させることができる、すなわち開錠された第２の動作位置になる。
【００１６】
錠芯２を適切な位置に回転させると、図５及び図６に示すように、ユニット８の突出部２１は錠シェル１の切欠部１６内に収まる。第２のばね体９の作用下で、摺動ブロック用の支持体５は、これに連結されているユニット８を押してユニット８とともに下方に移動し、摺動ブロック用の支持体５上に載った摺動ブロック６は、噛み合っている歯付き部材４から離脱する。このとき、ユニット８の突出部２１は第1の動作位置になる。新たな鍵１０が挿入されると、その鍵の鍵山１２が、第１のばね体７と協働して摺動ブロック６を押し、摺動ブロック６を歯付き部材４に対して再配置するため、錠芯２を再び回転させてユニット８の突出部２１を切欠部１６から出すと、ユニット８の突出部２１は、錠芯２の内壁に対して配置される第２の動作位置になり、ユニット８、摺動ブロック用の支持体５、及びその上の摺動ブロック６が歯付き部材４に向かって移動して、図９及び図１０に示すように、摺動ブロック６が新たな鍵の形状に対応する歯付き部材と再び噛み合うようになる。適切な位置に回転させられると、鍵棒３は、第１のばね体７の作用下で錠シェル１の鍵棒スロット１１に再び挿入され、すなわち再施錠される。この時点で、錠は新たな鍵によってしか開錠できなくなり、元鍵が無効になる。
【００１７】
図１１及び図１２を参照すると、上記錠芯２の水平軸に沿って、鍵の側面のピンスロット１３に対応する複数の共通のピンもあり得る。したがって、１２個もの位置があり得る鍵山１２が鍵の両側にあり、側面にはピンスロット１３がある。
【００１８】
図１５及び図１６に示すように、上記鍵棒３は、上記歯付き部材４に面する側に少なくとも２つの歯状構造２４を有する組織的（organized）鍵棒１４とすることもでき、上記歯付き部材４は、片側に少なくとも３つの凹部２０を有する組織的歯付き部材１５とすることができ、組織的鍵棒１４が第２の動作位置にあるとき、上記鍵棒の歯状構造２４は、上記歯付き部材４の複数の凹部２０に挿入される。その場合、このような組織的鍵棒１４では、錠の開錠が可能な鍵が２つできる。図１７は、組織的鍵棒１４が組織的歯付き部材１５の最後の２つの歯状構造２４に収まったときに、第１の鍵が組織的鍵棒１４を開錠する場合を示す。図１８は、第２の鍵の鍵山が第１の鍵の鍵山よりも低いため、組織的鍵棒１４が組織的歯付き部材１５の最初の２つの歯状構造２４に収まったときに、第２の鍵が組織的錠を開錠する場合を示す。明らかに、複数の歯付き部材・摺動ブロックセットのいくつかの歯付き部材４を組織的歯付き部材１５に変更する一方で、残りの歯付き部材４は所望に応じて不変更のままにすることができるため、一部の鍵ではより多くの錠を開錠可能である一方で、より少ない錠しか開錠可能ではない鍵もある。このように、これらの錠及び鍵は、レベルが異なることで互いに管理関係にある組織的錠システムを形成する。
【図面の簡単な説明】
【００１９】
【図１】図２の線Ａ−Ａから見た本実用新案の断面図である。
【図２】施錠状態の本実用新案の断面図である。
【図３】図４の線Ｂ−Ｂから見た本実用新案の断面図である。
【図４】開錠状態の本実用新案の断面図である。
【図５】図６の線Ｃ−Ｃから見た本実用新案の断面図である。
【図６】鍵の交換準備が整った本実用新案の断面図である。
【図７】図８の線Ｄ−Ｄから見た本実用新案の断面図である。
【図８】鍵の交換中の本実用新案の断面図である。
【図９】図１０の線Ｅ−Ｅから見た本実用新案の断面図である。
【図１０】鍵の交換後の再施錠状態の本実用新案の断面図である。
【図１１】本実用新案の鍵の正面図である。
【図１２】図１１の線Ｆ−Ｆから見た本実用新案の断面図である。
【図１３】図１４の線Ｇ−Ｇから見た本実用新案の断面図である。
【図１４】本実用新案による摺動ブロック及び摺動ブロック用の支持体の平面図である。
【図１５】本実用新案による共通の鍵棒及び歯付き部材の平面図である。
【図１６】本実用新案による組織的鍵棒及び組織的歯付き部材の正面図である。
【図１７】本実用新案による第１の鍵で組織的錠を開くための錠芯の断面図である。
【図１８】本実用新案による第２の鍵で組織的錠を開くための錠芯の断面図である。
【符号の説明】
【００２０】
１  錠シェル
２  錠芯
３  錠棒
４  歯付き部材
５  摺動ブロック用の支持体
６  摺動ブロック
７  第１の弾性要素
８  ユニット
９  第２の弾性要素
１０  鍵
１１  錠棒スロット
１２  鍵山
１３  ピンスロット
１４  組織的錠棒
１５  組織的歯付き部材
１６  切欠部
１７  上歯
１８  下歯
１９  摺動ブロックの突出部
２０  凹部
２１  突出部
２２  錠芯本体
２３  鍵穴
２４  歯状構造
【図１】
2009507151.tif 000003
【図２】
2009507151.tif 000004
【図３】
2009507151.tif 000005
【図４】
2009507151.tif 000006
【図５】
2009507151.tif 000007
【図６】
2009507151.tif 000008
【図７】
2009507151.tif 000009
【図８】
2009507151.tif 000010
【図９】
2009507151.tif 000011
【図１０】
2009507151.tif 000012
【図１１】
2009507151.tif 000013
【図１２】
2009507151.tif 000014
【図１３】
2009507151.tif 000015
【図１４】
2009507151.tif 000016
【図１５】
2009507151.tif 000017
【図１６】
2009507151.tif 000018
【図１７】
2009507151.tif 000019
【図１８】
2009507151.tif 000020
【国際調査報告】
2009507151.tif 000021
2009507151.tif 000022
2009507151.tif 000023
2009507151.tif 000024
2009507151.tif 000025
2009507151.tif 000026